(57)【要約】【課題】  釣りの遠投時と目標水深までの水没時において、撒餌具から撒餌を散出しないようにすること。【解決手段】  下部に錘を設けた撒餌本体に撒餌蓋を嵌合した撒餌具であって、前記撒餌本体の下部には錘に設けた撒餌拡散穴を塞ぐ浮玉を配するとともに、上部に撒餌の大きさより小さい連通孔を配置し、前記撒餌蓋に水抜穴を設け、かつ前記撒餌本体には撒餌の塊を入れる撒餌差入穴を設けたことを特徴とする撒餌具。【選択図】  図１
2005261334.tif 000002
【特許請求の範囲】
【請求項１】
撒餌本体の上部に一つ一つの撒餌の大きさより小さい孔の空気と水を外部へ逃す水抜穴を下部に錘及び撒餌拡散穴をそれぞれ配設し、かつ撒餌を入れる撒餌差込穴を設け、さらに前記撒餌本体内には水中投下まで前記撒餌拡散穴を塞いで撒餌を外部へ散出せず、水中では前記撒餌本体内に浮遊して撒餌を前記撒餌拡散穴から水中へ撒くようにした浮玉と、からなることを特徴とする撒餌具。
【請求項２】
上部に一つ一つの撒餌の大きさより小さい孔の連通孔を下部に錘及び撒餌拡散穴をそれぞれ配設し、かつ撒餌を入れる撒餌差込穴を設けた撒餌本体と、該本体に嵌合して前記連通孔から出た空気と水を外部へ逃がす水抜穴を設けた撒餌蓋と、前記撒餌本体には水中投下まで前記撒餌拡散穴を塞いで撒餌を外部へ散出せず、水中では前記撒餌本体内に浮遊して撒餌を前記撒餌拡散穴から水中へ撒くようにした浮玉と、からなることを特徴とする撒餌具。
【請求項３】
前記撒餌蓋には、前記撒餌本体の撒餌差込穴に位置合わせをして撒餌蓋の外側から前記撒餌本体内に撒餌を入れる撒餌挿通穴を設けた請求項２に記載の撒餌具。
【請求項４】
前記撒餌差込穴と撒餌又は挿通穴の関係が、前者の穴が前記浮玉を外部から入れることができる穴幅を有し、後者の穴幅が浮玉を外部へ脱出しない大きさの穴幅である請求項３に記載の撒餌具。
【請求項５】
前記撒餌本体の上部と前記撒餌蓋とは、導糸により脱着自在に連繋されており、前記水抜穴は前記導糸を通す孔と兼用したものか、撒餌蓋に設けた通水孔である請求項２乃至４のいずれかに記載の撒餌具。
【請求項６】
前記撒餌蓋の周方向に回転を容易にする凹凸部を設けた請求項２乃至５のいずれかに記載の撒餌具。
【請求項７】
前記錘の下部に撒餌具が落下した際のバンパーを設けた請求項１乃至６のいずれかに記載の撒餌具。
【請求項８】
前記撒餌本体には餌付きの釣針を入れるポケットを設けた請求項１乃至７のいずれかに記載の撒餌具。
【請求項９】
前記撒餌拡散穴に該穴の大きさを調整する鍔付きリングを配置したことを特徴とする請求項１乃至８のいずれかに記載の撒餌具。
【発明の詳細な説明】
【技術分野】
【０００１】
本発明は、魚釣リ道具の一つである撒餌具に関する。
【背景技術】
【０００２】
従来用いられている撒餌具は、特開２０００年第９３０６０号の公報の記載にあるようにマキ餌・付け餌の餌をプラスチックや金属製のカゴを用いていた。また、別の登録実用新案第３０３４９１６号の釣り具のこませカゴは本体周壁にこませ挿入窓の他にこませ排出ネットを設けていた。
しかし、上記いずれの引用文献の撒餌具もその周壁が網目状のものとなっており、その周辺にオキアミなどの冷凍ブロックをバケツ内で溶解し、その適量を上記カゴの中に入れてこれを釣竿を用いて遠投したり、船中から水中降下して用いるものである。
したがって、上記構造の撒餌具が撒餌籠のものでは、遠投時、着水時の衝撃、及び水中降下の途中で、多くの撒餌が飛散してしまい、また流出しており、このことは水深の深い釣棚で釣る場合に顕著である。
【特許文献１】特開２０００−９３０３０号公報
【特許文献２】登録実用新案第３０３４９１６号公報
【発明の開示】
【発明が解決しようとする課題】
【０００３】
本発明は上記問題を解決したものであり、その目的とするところは撒餌を無駄なく水面まで運ぶことにより、今まで水面まで運ぶまでにおいてある程度の餌量を散失していたことを極力防ぎ、また本発明の水中での撒餌の拡散は水の浸入時にほとんどなく、水と浮玉により撒餌を撒餌具内で次第に分散し、さらに魚のいると思われる深度においても十分な撒餌を可能にせんとする。
【課題を解決するための手段】
【０００４】
本発明は、上記目的に鑑みてなされたものであり、撒餌本体の上部に一つ一つの撒餌の大きさより小さい孔の空気と水を外部へ逃す水抜穴を下部に錘及び撒餌拡散穴をそれぞれ配設し、かつ撒餌を入れる撒餌差込穴を設け、さらに前記撒餌本体内には水中投下まで前記撒餌拡散穴を塞いで撒餌を外部へ散出せず、水中では前記撒餌本体内に浮遊して撒餌を前記撒餌拡散穴から水中へ撒くようにした浮玉と、からなることを特徴とする撒餌具にある。
【０００５】
この発明により、釣人が本撒餌具を用いるにはまず撒餌差込穴から撒餌を撒餌拡散穴を塞いでいる浮玉上に入れ、この状態で釣竿により釣糸の先に結ばれた本撒餌具を水面へ投入し、その後錘により釣バリとともに水中へ没し、水中では撒餌拡散穴からの水の浸入により前記撒餌拡散穴上に位置していた浮玉が上方に浮上し、水の撒餌本体への浸入とともに水と餌の混合が行なわれる。さらに釣人が選んだ水深、たとえば釣糸につけた浮き（図示せず）の位置又は撒餌具が水底に当った位置において本撒餌具は止まり、同位置付近で魚の釣れるのを待つ。
【０００６】
本発明の別の発明は、上部に一つ一つの撒餌の大きさより小さい孔の連通孔を下部に錘及び撒餌拡散穴をそれぞれ配設し、かつ撒餌を入れる撒餌差込穴を設けた撒餌本体と、該本体に嵌合して前記連通孔から出た空気と水を外部へ逃がす水抜穴を設けた撒餌蓋と、前記撒餌本体には水中投下まで前記撒餌拡散穴を塞いで撒餌を外部へ散出せず、水中では前記撒餌本体内に浮遊して撒餌を前記撒餌拡散穴から水中へ撒くようにした浮玉と、からなることを特徴とする撒餌具にある。
【０００７】
この発明により、釣人が本撒餌具を用いるにはまず撒餌本体の撒餌差込穴から撒餌を入れて撒餌蓋により前記撒餌差込穴を塞じる。この状態で釣竿により釣糸の先に結ばれた本撒餌具を空中高く水面へ投入し、その後錘により釣バリとともに水中へ没し、水中では撒餌拡散穴からの水の浸入により前記撒餌拡散穴上に位置していた浮玉が上方に浮上し、撒餌具のスピードのある水没でつぎつぎと新たな水の撒餌本体への浸入とともに水と餌の混合が行なわれ、この混合中は撒餌本体上部の連通孔からは撒餌は出ないで水と空気だけが出る。さらに、釣人が選んだ水深、たとえば釣糸につけた浮き（図示せず）の位置又は撒餌具が水底に当った位置において本撒餌具の下降は止まり、同位置付近で魚の釣れるのを待つ。この場合、撒餌具が水底に当った際は釣人は一手繰りして撒餌具を持ち上げることで釣り餌を付けた釣バリは水底のすぐ上に位置させることで底物の魚を釣り、水底よりかなり高い処にいる魚を狙う場合は上記した釣糸の予定した位置の浮きにより本撒餌具は水中に浮遊状態になり、その位置の下方に釣り餌を付けた釣針が位置することになる。したがって、これらの位置状態では本撒餌具は水中に浮遊した状態であるから、上記撒餌拡散穴からは餌が下方へ拡散され釣バリ上方から降りそそぐことで魚を釣ることになる。
【０００８】
本発明の更に別の特徴は、撒餌蓋にも上記撒餌本体の撒餌差込穴に合わせて撒餌挿通穴を設けることにより、撒餌蓋の外側からでも撒餌を入れることができ、入れた後で撒餌蓋か撒餌本体のいずれか又は双方で廻すことで上記撒餌差込穴と撒餌挿通穴を塞ぐことで撒餌蓋の外側から撒餌本体内へ撒餌を入れることができる。
本発明の更に別の特徴は、撒餌差込穴の穴幅と撒餌挿通穴の穴幅の関係が、前者が浮玉を外部から入れることができる大きさで、後者が浮玉を外に脱出しない大きさのものである。
このことにより、撒餌差込穴から浮玉を入れ、入れた後は、この撒餌差込穴に撒餌蓋の撒餌挿通穴を重ねても浮玉が撒餌本体外に出ることがない。
【０００９】
本発明のその他の特徴は、撒餌本体の上部と撒餌蓋とは導糸により着脱自在に連繋されており、前記水抜穴は前記導糸を通す孔と兼用するか、撒餌蓋に別途設けたものである。
したがって、撒餌本体と撒餌蓋とは常に連繋されているため両者が分離して失われることがない。また、本発明の撒餌具が水中深く没するには撒餌拡散穴から水を導入し、その水は撒餌本体と撒餌蓋を通して導糸を通す孔単独が別途設けたものか、あるいは両者からなる水抜穴から抜けることで、撒餌具は上下位置を保持した状態で速やかに水没させる。
本発明の更に他の特徴は、撒餌挿通穴を周方向に回転容易にするために、撒餌蓋に凹凸を設けた。
そして、発明の特徴として、陸上で釣人が誤って岸壁や磯の上に落下させたり、水底に当った際に撒餌の下部にバンパーを設けることで本発明の撒餌具の耐久性を向上した。
【００１０】
更に、本発明の特徴として、撒餌本体の外側にポケット１８を取付けることで、この中に餌付きの釣針を籾殻や土砂とともに入れ、釣人が位置を決めた水深で釣竿を引き上げて釣針をポケット１８から脱出して釣りをすることもできる。
更にまた、撒餌拡散穴に波の大きさに合せて穴径を調整する鍔付きリング１９を配置したことにより、釣り状況に合った放出量での撒餌をすることができる。
【発明の効果】
【００１１】
本発明では遠投時には浮玉で撒餌拡散穴を塞ぎ、水中では水没による撒餌拡散穴からの水圧によって撒餌の外部へ放出を極力防ぎ、より効果的に撒餌をすることができる。
また、本発明は撒餌本体の撒餌差込穴に位置合せして撒餌挿通穴を設けることで、撒餌の撒餌本体内への充填を容易にした。
さらに本発明の特徴である撒餌差込穴の幅と撒餌挿通穴との関係が、前者を浮玉の径より大きくし、後者では浮玉の径より小さくすることで、撒餌本体に撒餌蓋を嵌着することで、浮玉を外部へ容易に脱出できないようにした。
さらにまた、撒餌本体と撒餌蓋とを導糸で連繋されることで、双方の操作時の結合を容易にし、また各個を失う危険を防止させる。
そして、撒餌蓋の周方向に回転を容易にする凹凸部を設け、また、本撒餌が落下又は海底等で損傷しないように、錘の下部にバンパーを設けた。
【００１２】
その他、撒餌本体にポケットを設けたことで、付餌が釣針から離れたりせず、釣人が意図する水深まで安全に釣針を運ぶことができる。
その他更に、各種径の大きさの違う鍔付きリングを用意しておいて、波の大小などに応じて鍔付きリングを選択することで適切な放出量まで撒餌をすることもできる。
【発明を実施するための最良の形態】
【００１３】
本発明の撒餌具の好ましい形態を以下の実施例により説明する。
【実施例】
【００１４】
プラスチック製円筒状の撒餌本体１の下部には下方にバンパー２を配するとともに、撒餌本体１の下部中心に撒餌拡散穴３を設けた鉛等の錘４を設置し、上部に撒餌の大きさより小さい多数の孔からなる連通孔５を設け、かつ中央上部に短幅が撒餌本体の１／５ほどの楕円形の撒餌差込穴６を１箇設け、前記撒餌拡散穴３を水上では塞ぎ、水中では浮上するプラスチック製浮玉７を内部に配置した撒餌本体を撒餌具の一部分とする。
そして、この撒餌本体１の略上半部全体に上下摺動する径の大きさの筒体と、その本体上部に三角錐形で頂上に水抜きを兼ねた導糸８の貫通孔９を設けるとともに、その周囲に４箇所の水抜穴１３を設け、かつ上記筒体に上記撒餌差込穴６より横幅が小さい大きさの撒餌挿通穴１１、言い換えれば上記浮玉７は撒餌差込穴６より内部へ容易に侵入できるが、この穴６に穴１１を重ねた場合、撒餌１０の固りは容易に撒餌本体内へ入れることができるが浮玉７は外に出られない大きさの撒餌挿通穴１１を１箇設けた撒餌蓋１２を撒餌具の他の一部分とする。なお、上記撒餌本体の錘４の周りと、上記撒餌蓋１２の三角錐側の筒体上部とには、凹凸１４と１５を設けて撒餌を撒餌差込穴６と撒餌挿通穴１１とを重ねて撒餌本体１内に入れた後、、その位置を周方向に廻すことで各穴６，１１を閉じる操作を容易にする滑り止めとする。
また、上記撒餌本体１と撒餌蓋１２の上部中央を天秤１６からの導糸１７で連通して、釣りの際にこれらが離散しないように、本撒餌具を分離しないよう配置する。
なお、１８は図９に示すように、撒餌本体１の下部に挟着して用いる網状のポケット１８であり、釣針が所要水深まではこの中にあり、水深に到達すると釣針をそこから脱して釣るよう工夫したものである。
また、１９は図１０に示すように、撒餌拡散穴３と浮玉７間に設置する鍔付きリングであり、海が荒れている時に用いることで上記撒餌拡散穴３をより小さくして水中での餌の拡散を小さくすることができる。
【００１５】
つぎに、上記本発明である撒餌具の使用形態について説明する。
まず、釣人は、撒餌差込穴６に撒餌挿通穴１１を重ねてからこれらの穴を通して水で固めた（固まっていないものもある）撒餌を入れ、続いて撒餌本体１と撒餌蓋１２を周方向に廻すことで、これら各穴の位置をズラすことで穴から撒餌がでないようにする。
ついで、釣竿を用い（用いないで船中から釣る場合もある）、目標海域に撒餌具の重さを利用して遠投するが、水上では浮玉７の位置は遠心力もあって常に撒餌拡散穴３を塞ぐことで撒餌が撒餌本体１から出ないようにしている。
【００１６】
さらに、海中に投下された本発明の撒餌具は、浮玉７が海水の比重より小さいこともあって、撒餌拡散穴３等から海水が撒餌本体１内に入り、海水７とともに撒餌は撒餌本体１内で混合されながら、水没していく。
このようにして、釣糸に付けた浮きの位置により、撒餌本体１が目標水中に没するか、海底付近の魚（底物）を釣る場合にはバンパー２が海底に当ることでその位置を釣人が認識することができる。なお、海底に撒餌本体のバンパー２が当った場合には、一手繰りして本発明の撒餌具の下の釣針の位置を海底近くに合せることで、釣りに備える。
【産業上の利用可能性】
【００１７】
本発明では、従来技術のように、単に金網中に撒餌を入れた場合のように遠投の際、及び海水の目標域に水没する際に相当量の撒餌の無駄な分散を防ぐことができる。つまり、遠投時においても浮玉で撒餌拡散穴からの漏れを防止し、目標水深までの水没時においても海水の撒餌本体１内への流入はあっても外部への撒餌の流出を極力防止することができて、より効果的な釣りの条件を確保することができる。
【図面の簡単な説明】
【００１８】
【図１】本発明である撒餌具の縦断面図である。
【図２】図１の中の撒餌本体からバンパー付きの錘を除いた縦断面図である。
【図３】図１の中の撒餌蓋の縦断面図である。
【図４】図２のＡ−Ａ断面図である。
【図５】図２のＢ−Ｂ断面図である。
【図６】図３のＣ−Ｃ平面図である。
【図７】図１における錘とバンパーの断面図である。
【図８】浮玉の正面図である。
【図９】付属品としてのポケットの斜視図である。
【図１０】付属品としての鍔付きリングの斜視図である。
【図１１】本発明の撒餌具の海水中で釣状況の説明図である。
【符号の説明】
【００１９】
１  撒餌本体
２  バンパー
３  撒餌拡散穴
４  錘
５  連通孔
６  撒餌差込穴
７  浮玉
８  導糸
９  貫通孔
１０  撒餌
１１  撒餌挿通穴
１２  撒餌蓋
１３  水抜き穴
１４  下部凹凸
１５  上部凹凸
１６  天秤
１８  ポケット
１９  鍔付きリング
【図１】
2005261334.tif 000003
【図２】
2005261334.tif 000004
【図３】
2005261334.tif 000005
【図４】
2005261334.tif 000006
【図５】
2005261334.tif 000007
【図６】
2005261334.tif 000008
【図７】
2005261334.tif 000009
【図８】
2005261334.tif 000010
【図９】
2005261334.tif 000011
【図１０】
2005261334.tif 000012
【図１１】
2005261334.tif 000013